【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、前記パーソナルオーディオデバイスは、
パーソナルオーディオデバイス筐体と、
前記筐体に搭載された変換器であって、聴取者へのプレイバックのためのソースオーディオと、前記変換器の音響出力における周囲オーディオ音の影響を打ち消すための反雑音信号との両方を含むオーディオ信号を再生するための、変換器と、
前記筐体に搭載されたマイクロホンであって、前記周囲オーディオ音を示す基準マイクロホン信号を提供するための、基準マイクロホンと、
前記変換機に近接して前記筐体に搭載されたエラーマイクロホンであって、前記変換器の前記音響出力と前記変換器における前記周囲オーディオ音とを示すエラーマイクロホン信号を提供するための、エラーマイクロホンと、
前記基準マイクロホン信号から導出される第１の信号を受け取る第１の入力と、前記エラーマイクロホン信号から導出される第２の信号を受け取る第２の入力とを有する係数制御ブロックによって制御される応答を有する適応フィルタを使用して、前記聴取者によって聞き取られる前記周囲オーディオ音の存在を低減するために、前記基準マイクロホン信号から前記反雑音信号を発生させる処理回路であって、前記処理回路は、周囲音を検出し前記周囲音がエネルギーを有する１つまたはそれよりも多くの周波数または周波数帯域を決定するために前記基準マイクロホン信号を分析し、かつ、前記周囲音の検出に応答し、前記１つまたはそれよりも多くの周波数または周波数帯域を決定した結果に適合するように、前記適応フィルタの前記応答の適応の前記１つまたはそれよりも多くの周波数または周波数帯域における感度を低減するように前記第１の信号または前記第２の信号の周波数成分を改変することによって前記適応フィルタの前記応答の前記適応を改変する、処理回路と
を備えるパーソナルオーディオデバイス。
【請求項２】
前記処理回路は、前記ソースオーディオを形成する二次経路応答を有する二次経路フィルタと、前記聴取者に送達される組み合わせられた反雑音および周囲オーディオ音を示すエラー信号を提供するために、前記ソースオーディオを前記エラーマイクロホン信号から除去するコンバイナとをさらに実装し、前記係数制御ブロックの前記第２の入力が前記第２の信号として前記エラー信号を受け取って、前記適応フィルタの前記応答が、前記エラー信号および前記基準マイクロホン信号と適合するように制御される、請求項１に記載のパーソナルオーディオデバイス。
【請求項３】
前記処理回路は、前記１つまたはそれよりも多くの周波数または周波数帯域と適合するように選択された固定応答を有する非適応フィルタによって前記第１のまたは第２の信号の少なくとも１つをフィルタ処理し、その結果として、前記適応フィルタの前記応答の前記適応の感度は、前記固定応答によって、前記１つまたはそれよりも多くの周波数または周波数帯域において低減される、請求項２に記載のパーソナルオーディオデバイス。
【請求項４】
前記処理回路は、複数の所定の周波数応答の中から前記固定応答を選択する、請求項３に記載のパーソナルオーディオデバイス。
【請求項５】
前記処理回路は、前記基準マイクロホン信号および前記エラーマイクロホン信号の両方における前記周囲音を検出する、請求項１に記載のパーソナルオーディオデバイス。
【請求項６】
前記処理回路は、前記周囲音の方向を決定し、前記処理回路は、前記周囲音の前記方向と適合するように、前記適応フィルタの前記応答の前記適応を選択的に改変する、請求項５に記載のパーソナルオーディオデバイス。
【請求項７】
前記聴取者の発話と前記周囲音とを示す近接発話マイクロホン信号を提供するために、前記筐体に搭載された近接発話マイクロホンをさらに備え、前記処理回路は、前記近接発話マイクロホン信号における前記周囲音をさらに検出する、請求項１に記載のパーソナルオーディオデバイス。
【請求項８】
前記処理回路は、前記基準マイクロホン信号の１つまたはそれよりも多くの周波数または周波数帯域の振幅を測定することによって、前記周囲音を検出する、請求項１に記載のパーソナルオーディオデバイス。
【請求項９】
前記１つまたはそれよりも多くの周波数または周波数帯域は、選択可能である、請求項８に記載のパーソナルオーディオデバイス。
【請求項１０】
外部ヘッドセットに接続するためのヘッドセットコネクタと、
前記外部ヘッドセットのタイプを検出するためのヘッドセットタイプ検出回路であって、前記処理回路は、前記外部ヘッドセットの検出されたタイプと適合するように、前記１つまたはそれよりも多くの周波数または周波数帯域をさらに決定する、ヘッドセットタイプ検出回路と、
をさらに備える、請求項８に記載のパーソナルオーディオデバイス。
【請求項１１】
前記検出することは、低周波数成分が存在するかどうか検出する、請求項１に記載のパーソナルオーディオデバイス。
【請求項１２】
前記検出することは、高周波数成分が存在するかどうか検出する、請求項１に記載のパーソナルオーディオデバイス。
【請求項１３】
前記改変することは、前記適応フィルタの係数制御ブロックの更新レートを改変する、請求項１に記載のパーソナルオーディオデバイス。
【請求項１４】
前記処理回路は、漏出特性を有する前記適応フィルタの周波数応答の可変部分を制御し、特定の変化率において前記適応フィルタの応答を所定の応答に復元し、前記処理回路は、前記周囲音の検出の結果と適合するように、前記特定の変化率を改変する、請求項１に記載のパーソナルオーディオデバイス。
【請求項１５】
前記処理回路は、前記１つまたはそれよりも多くの周波数または周波数帯域において前記適応フィルタの前記応答の前記感度を低減する周波数成分を有する信号を投入することによって、前記第１の信号または前記第２の信号のいずれかの周波数成分を改変する、請求項１に記載のパーソナルオーディオデバイス。
【請求項１６】
パーソナルオーディオデバイスによって周囲オーディオ音の影響を打ち消す方法であって、前記方法は、
基準マイクロホン信号を生成するために基準マイクロホンによって前記周囲オーディオ音を測定することと、
エラーマイクロホン信号を生成するために変換器の音響出力と前記周囲オーディオ音とをエラーマイクホンで測定することと、
前記基準マイクロホン信号から導出される第１の信号を受け取る第１の入力と、前記エラーマイクロホン信号から導出される第２の信号を受け取る第２の入力とを有する係数制御ブロックによって計算される係数によって制御される応答を有する適応フィルタを使用して、聴取者によって聞き取られる前記周囲オーディオ音の存在を低減するために前記基準マイクロホン信号から反雑音信号を適応的に発生させることと、
前記反雑音信号をソースオーディオと組み合わせることと、
前記組み合わせの結果を前記変換器に提供することと、
周囲音を検出し前記周囲音がエネルギーを有する１つまたはそれよりも多くの周波数または周波数帯域を決定するために前記基準マイクロホン信号を分析することと、
前記周囲音の検出に応答し、前記１つまたはそれよりも多くの周波数または周波数帯域を決定した結果に適合するように、前記適応フィルタの前記検出された周囲音への前記応答の適応の感度を低減するように前記第１の信号または前記第２の信号のいずれかの周波数成分を改変することによって、前記適応フィルタの前記応答の前記適応を改変することと
を含む方法。
【請求項１７】
前記適応的に発生させることは、前記反雑音信号を、前記変換器の前記音響出力および前記周囲音を示すエラー信号から発生させることをさらに含み、前記方法は、
二次経路適応フィルタによって提供される二次経路応答を用いて、前記ソースオーディオを形成することと、
前記形成されたソースオーディオを前記エラーマイクロホン信号から除去することにより、前記エラー信号を発生させることと
をさらに含む、請求項１６に記載の方法。
【請求項１８】
前記周波数成分を改変することは、前記１つまたはそれよりも多くの周波数または周波数帯域と適合するように選択された固定応答を有する非適応フィルタを用いて、前記第１の信号または前記第２の信号をフィルタ処理することを含み、その結果として、前記適応フィルタの前記応答の前記適応の感度は、前記固定応答によって、１つまたはそれよりも多くの周波数または周波数帯域において低減される、請求項１７に記載の方法。
【請求項１９】
複数の所定の周波数応答の中から前記固定応答を選択することをさらに含む、請求項１８に記載の方法。
【請求項２０】
前記検出することは、前記基準マイクロホン信号および前記エラーマイクロホン信号の両方における前記周囲音を検出する、請求項１６に記載の方法。
【請求項２１】
前記方法は、前記周囲音の方向を決定することをさらに含み、前記改変することは、前記周囲音の決定された方向と適合するように、前記適応フィルタの前記応答の前記適応を選択的に改変する、請求項２０に記載の方法。
【請求項２２】
前記パーソナルオーディオデバイスは、前記聴取者の発話と前記周囲音とを示す近接発話マイクロホン信号を提供するために、前記パーソナルオーディオデバイスの筐体に搭載された近接発話マイクロホンを含み、前記検出することは、前記近接発話マイクロホン信号における前記周囲音をさらに検出する、請求項１６に記載の方法。
【請求項２３】
前記検出することは、前記基準マイクロホン信号の１つまたはそれよりも多くの周波数または周波数帯域の振幅を測定することによって、前記周囲音を検出する、請求項１６に記載の方法。
【請求項２４】
複数の所定の周波数または周波数帯域の中から前記１つまたはそれよりも多くの周波数または周波数帯域を選択することをさらに含む、請求項２３に記載の方法。
【請求項２５】
外部ヘッドセットを前記パーソナルオーディオデバイスに接続することと、
前記外部ヘッドセットのタイプを検出することと、
をさらに含み、
前記検出することは、前記検出された前記外部ヘッドセットのタイプと適合するように、前記１つまたはそれよりも多くの周波数または周波数帯域を決定すること
をさらに含む、請求項２３に記載の方法。
【請求項２６】
前記検出することは、低周波数成分が存在するかどうか検出する、請求項１６に記載の方法。
【請求項２７】
前記検出することは、高周波数成分が存在するかどうか検出する、請求項１６に記載の方法。
【請求項２８】
前記改変することは、前記適応フィルタの係数制御ブロックの更新レートを改変する、請求項１６に記載の方法。
【請求項２９】
特定の変化率において前記適応フィルタの応答を所定の応答に復元する漏出特性によって前記適応フィルタの周波数応答の可変部分を制御することと、
前記周囲音の前記検出の結果と適合するように、前記特定の変化率を改変することと
をさらに含む、請求項１６に記載の方法。
【請求項３０】
前記改変することは、前記１つまたはそれよりも多くの周波数または周波数帯域において前記適応フィルタの前記応答の前記感度を低減する周波数成分を有する信号を投入することによって、前記第１の信号または前記第２の信号の周波数成分を改変する、請求項１６に記載の方法。
【請求項３１】
パーソナルオーディオデバイスの少なくとも一部を実装するための集積回路であって、前記集積回路は、
出力信号を出力変換器に提供するための出力であって、聴取者へのプレイバックのためのソースオーディオと前記変換器の音響出力における周囲オーディオ音の影響を打ち消すための反雑音信号との両方を含む、出力信号を出力変換器に提供するための出力と、
前記周囲オーディオ音を示す基準マイクロホン信号を受信するための基準マイクロホン入力と、
前記変換器の前記音響出力と前記変換器における前記周囲オーディオ音とを示すエラーマイクロホン信号を受信するためのエラーマイクロホン入力と、
前記基準マイクロホン信号から導出される第１の信号を受け取る第１の入力と、前記エラーマイクロホン信号から導出される第２の信号を受け取る第２の入力とを有する係数制御ブロックによって制御される応答を有する適応フィルタを使用して、前記聴取者によって聞き取られる前記周囲オーディオ音の存在を低減するために、前記基準マイクロホン信号から前記反雑音信号を発生させる処理回路であって、前記処理回路は、周囲音を検出し前記周囲音がエネルギーを有する１つまたはそれよりも多くの周波数または周波数帯域を決定するために前記基準マイクロホン信号を分析し、かつ、前記周囲音の検出に応答し、前記１つまたはそれよりも多くの周波数または周波数帯域を決定した結果に適合するように、前記適応フィルタの前記応答の適応の前記１つまたはそれよりも多くの周波数または周波数帯域における感度を低減するように前記第１の信号または前記第２の信号の周波数成分を改変することによって前記適応フィルタの前記応答の前記適応を改変する、処理回路と
を備える、集積回路。
【請求項３２】
前記処理回路は、前記ソースオーディオを形成する二次経路応答を有する二次経路フィルタと、前記聴取者に送達される組み合わせられた反雑音および周囲オーディオ音を示すエラー信号を提供するために、前記ソースオーディオを前記エラーマイクロホン信号から除去するコンバイナとをさらに実装し、前記係数制御ブロックの前記第２の入力が前記第２の信号として前記エラー信号を受け取って、前記適応フィルタの前記応答が、前記エラー信号および前記基準マイクロホン信号と適合するように制御される、請求項３１に記載の集積回路。
【請求項３３】
前記処理回路は、前記１つまたはそれよりも多くの周波数または周波数帯域と適合するように選択された固定応答を有する非適応フィルタによって前記第１のまたは第２の信号の少なくとも１つをフィルタ処理し、その結果として、前記適応フィルタの前記応答の前記適応の感度は、前記固定応答によって、前記１つまたはそれよりも多くの周波数または周波数帯域において低減される、請求項３２に記載の集積回路。
【請求項３４】
前記処理回路は、複数の所定の周波数応答の中から前記固定応答を選択する、請求項３３に記載の集積回路。
【請求項３５】
前記処理回路は、前記基準マイクロホン信号および前記エラーマイクロホン信号の両方における前記周囲音を検出する、請求項３１に記載の集積回路。
【請求項３６】
前記処理回路は、前記周囲音の方向を決定し、前記処理回路は、前記周囲音の前記方向と適合するように、前記適応フィルタの前記適応を選択的に改変する、請求項３５に記載の集積回路。
【請求項３７】
前記聴取者の発話と前記周囲音とを示す近接発話マイクロホン信号を受信するための近接発話マイクロホン入力をさらに備え、前記処理回路は、前記近接発話マイクロホン信号における前記周囲音を検出する、請求項３１に記載の集積回路。
【請求項３８】
前記処理回路は、前記基準マイクロホン信号の１つまたはそれよりも多くの周波数または周波数帯域の振幅を測定することによって、前記周囲音を検出する、請求項３１に記載の集積回路。
【請求項３９】
前記１つまたはそれよりも多くの周波数または周波数帯域は、選択可能である、請求項３８に記載の集積回路。
【請求項４０】
前記出力に結合された外部ヘッドセットのタイプを検出するためのヘッドセットタイプ検出回路をさらに備え、前記処理回路は、前記外部ヘッドセットの検出されたタイプと適合するように、前記１つまたはそれよりも多くの周波数または周波数帯域をさらに決定する、請求項３８に記載の集積回路。
【請求項４１】
前記検出することは、低周波数成分が存在するかどうか検出する、請求項３１に記載の集積回路。
【請求項４２】
前記検出することは、高周波数成分が存在するかどうか検出する、請求項３１に記載の集積回路。
【請求項４３】
前記改変することは、前記適応フィルタの係数制御ブロックの更新レートを改変する、請求項３１に記載の集積回路。
【請求項４４】
前記処理回路は、漏出特性を有する前記適応フィルタの周波数応答の可変部分を制御し、特定の変化率において、前記適応フィルタの応答を所定の応答に復元し、前記処理回路は、前記周囲音の検出の結果と適合するように、前記特定の変化率を改変する、請求項３１に記載の集積回路。
【請求項４５】
前記処理回路は、前記１つまたはそれよりも多くの周波数または周波数帯域において前記適応フィルタの前記応答の前記感度を低減する周波数成分を有する信号を投入することによって、前記第１の信号または前記第２の信号のいずれかの周波数成分を改変する、請求項３１に記載の集積回路。